(57)【要約】【課題】手間をかけることなく、微細な模様のパターンを対象物に高精細に転写することができる手芸用転写シートを提供する。【解決手段】本願発明による手芸用転写シートは、少なくとも一部の領域に多数の微細な孔部を有するメッシュ部が形成され、日用品の表面に線画を転写するための手芸用転写シートであって、前記線画に対応した部分の孔部はインクが通過可能とされ、前記メッシュ部の他の部分の孔部はインクが通過できないように塞がれていることにより、前記メッシュ部に前記線画に対応するパターンが形成されていることを特徴とする。【選択図】図１
2015189096.tif 000002
【特許請求の範囲】
【請求項１】
少なくとも一部の領域に多数の微細な孔部を有するメッシュ部が形成され、日用品の表面に線画を転写するための手芸用転写シートであって、
前記線画に対応した部分の孔部はインクが通過可能とされ、前記メッシュ部の他の部分の孔部はインクが通過できないように塞がれていることにより、前記メッシュ部に前記線画に対応するパターンが形成されていることを特徴とする手芸用転写シート。
【請求項２】
前記パターンは、レース模様であることを特徴とする請求項１に記載の手芸用転写シート。
【請求項３】
前記線画は、下絵として使用されることを特徴とする請求項１または請求項２に記載の手芸用転写シート。
【請求項４】
前記線画は、模様を構成することを特徴とする請求項１または請求項２に記載の手芸用転写シート。
【発明の詳細な説明】
【技術分野】
【０００１】
本発明は、日用品の表面に線画を転写するための手芸用転写シートに関する。
【背景技術】
【０００２】
個人が自身の家具や身の回り品、雑貨などの日用品に好みの模様を施す、いわゆるトールペイントにおいては、模様を施す対象物に下絵を描いた後に、彩色が行われる。従来、下絵を描くには、まず、描きたい模様のパターンを筆記具を用いてトレーシングペーパーに写し取り、次に、パターンが描かれたトレーシングペーパーを対象物との間にカーボン紙あるいはチャコペーパー（チャコペーパーは、チャコペーパー株式会社の登録商標）を挟んだ状態で対象物の所定位置に配置し、トレーシングペーパーに描かれたパターンを筆記具等を用いてなぞり、なぞった部分のカーボンあるいはチャコが対象物に転写されることにより、所望のパターンを対象物に下絵として描いていた。
【０００３】
上記カーボン紙等を用いる手法では、下絵を描くのに手間がかかり面倒であるという問題があった。カーボン紙などを用いてパターンを転写する煩わしさを解消した手法として、開口幅を１．０〜２．０ｍｍとした同一開口幅の多数の孔部が、各隣接する３つの孔部の中心が正三角形の頂点をなすように配列されて形成されたメッシュ部を有するパターン写し取り用シートを用いる手法が知られている（特許文献１参照）。
【０００４】
上記パターン写し取り用シートを用いる手法は、該シートをパターン見本に重ね合わせて該パターン見本に表示されているパターンを写してメッシュ部の表面にパターンを描き、シートを対象物に重ね合わせた状態でシートに描かれたパターンを筆記具でなぞり、パターンが描かれている部分に対応する孔部を介して対象物に上記筆記具を接触させることにより、対象物にマークを付すというものである。
【０００５】
上記パターン写し取り用シートを用いることにより、パッチワークやキルティングなどの手芸、あるいはその他の裁縫作業において、布地の表面に裁断線または縫い目線などのパターンを描く手間が簡便になる。
【先行技術文献】
【特許文献】
【０００６】
【特許文献１】特開２０００−１７５６１号公報
【発明の概要】
【発明が解決しようとする課題】
【０００７】
しかしながら、上記特許文献１に記載のパターン写し取り用シートを用いた場合、パターンの孔部に対応する部分は、筆記具が対象物に接触して対象物に線画が描かれるが、パターンの孔部が形成されていない非開口部に対応する部分は、対象物に線画が描かれないため、対象物に描かれる線画は点線状態に描かれることになる。したがって、上記特許文献１に記載のパターン写し取り用シートをトールペイントに用いる場合、例えばレース模様等のように微細なパターンを写し取りたいときに、模様の細部まで写し取ることができないという問題があった。
【０００８】
特に、レース模様等の微細な模様を施す場合は、パターンを転写して得られた線画を下絵として使用するのではなく、そのまま模様を構成する線画として使用したいという要望もある。パターンを転写して得られる線画が点線状態では、そのまま模様を構成する線画として使用することはできない。
【０００９】
そこで、本発明は、手間をかけることなく、微細な模様のパターンを対象物に高精細に転写することができる手芸用転写シートを提供することを目的とする。
【課題を解決するための手段】
【００１０】
上記課題を解決するために、本発明による手芸用転写シートは、少なくとも一部の領域に多数の微細な孔部を有するメッシュ部が形成され、日用品の表面に線画を転写するための手芸用転写シートであって、前記線画に対応した部分の孔部はインクが通過可能とされ、前記メッシュ部の他の部分の孔部はインクが通過できないように塞がれていることにより、前記メッシュ部に前記線画に対応するパターンが形成されていることを特徴とする。
【００１１】
上述の手芸用転写シートにおいて、前記パターンはレース模様であることが好ましい。
【００１２】
上述の手芸用転写シートにおいて、前記線画は下絵として使用されることができる。
【００１３】
また、上述の手芸用転写シートにおいて、前記線画は、模様を構成することもできる。
【発明の効果】
【００１４】
本発明に係る手芸用転写シートは、手間をかけることなく、微細な模様のパターンを対象物に高精細に転写することができる。
【図面の簡単な説明】
【００１５】
【図１】本発明の実施形態に係る手芸用転写シートの構造を模式的に示す平面図およびＡ部拡大図である。
【図２】本発明の実施形態に係る手芸用転写シートの使用方法を模式的に示す図である。
【発明を実施するための形態】
【００１６】
以下に、本発明の実施の形態について詳細に説明する。
【００１７】
本実施形態に係る手芸用転写シート１は、日用品の表面に線画６を転写するために用いられるものであり、図１に示すように、少なくとも一部の領域に多数の微細な孔部２を有するメッシュ部３を有している。メッシュ部３には、線画６に対応した部分の孔部２はインクが通過可能とされ、線画６に対応した部分の孔部２以外の孔部２はインクが通過できないように乳剤で塞がれていることにより、線画６に対応するパターン４が形成されている。なお、図１のＡ部拡大図においては、黒色の網目はインクが通過可能な孔部２を現し、白色の網目は乳剤で塞がれた孔部２を現している。
【００１８】
メッシュ部３は、例えばポリエステル、ナイロン等の合成繊維やステンレスの細線からなる縦線と横線を交互に織って網目が形成させた紗からなり、網目が孔部２を構成している。網目の細かさは、１００〜３００メッシュ（１インチ中の線の本数）が好ましい。
【００１９】
なお、手芸用転写シート１は、全体をメッシュ部３のみで構成することにより、湾曲面や凹凸面を有する対象物５（図２参照）の表面に沿わせた状態で手芸用転写シート１を配置してパターン４を転写することができるため、より好ましい。
【００２０】
メッシュ部３にパターン４を形成する方法としては、感光性乳剤を塗布し乾燥させて付着させた後、線画６（図２（Ｃ）参照）を転写させる対象物５に接する面側に、線画６に対応するパターン４の感光用マスクを当接し、露光と現像を行って所望する線画６に対応する部分の感光性乳剤を除去し、残った感光性乳剤を硬化させる方法を用いることができる。
【００２１】
感光性乳剤としては、例えば、疎水性の乳剤と感光材料を主成分とし、必要に応じて水溶性樹脂、可塑剤、チクソ剤、安定剤並びに増感剤などが添加されたものを用いることができる。
【００２２】
疎水性の乳剤としてはラテックス、ウレタンエマルジョン、ポリ酢酸ビニル或いはそれらの共重合エマルジョン（該共重合はエチレン、アクリルエステル、アクリルアミド類などを挙げることができる。
【００２３】
感光材料としては、ジアゾ化合物、並びに、光重合性材料を挙げることができる。ジアゾ化合物には、例えば、４−ジアゾジフェニルアミンサルフェート、４−ジアゾ−３−メトキシジフェニルアミンサルフェート、４−ジアゾ−４’−メトキシジフェニルアミンサルフェートなどのジフェニルアミン誘導体と、架橋剤（該架橋剤として、ホルマリン、アセトアルデヒド、パラフォルムアルデヒド、芳香族アルデヒド等のアルデヒド類、４，４’−ジメトキシメチルジフェニルエーテルなどを挙げることができる）の強酸中における縮合物を挙げることができる。光重合性材料としては、ＳＢＱ系（スチルバゾリウム系）光重合性材料がある。また、光重合性材料としては、エチレン性不飽和化合物と、光重合開始剤からなる光重合性材料で、エチレン性不飽和化合物としては、グリセリンジアクリレート、トリメチロールプロパントリアクリレートで代表されるアクリレート化合物、或いはそのメタアクリレート化合物がある。光重合開始剤としては、ベンゾイン或いはその誘導体、ベンゾフェノン或いはその誘導体、チオキサントン、イルガキュアー等で代表される市販のものを挙げることができる。
【００２４】
水溶性の樹脂としてはポリ酢酸ビニルの鹸化物（ポリビニルアルコール）及びその誘導体、ポリビニルピロリドン等が挙げられる。
【００２５】
乳剤としては、樹脂系乳剤を用いることもできる。樹脂系乳剤の形態としては、熱硬化性樹脂、光硬化性樹脂などの架橋性樹脂をメッシュ部３に含浸させる溶液型と、ニス原紙、ナイロン樹脂原紙、水溶性フィルム、ラッカーフィルム、或いは公知の反応性、非反応性樹脂フィルムなどをメッシュ部３に貼り付けるフィルム型がある。溶液型は架橋性樹脂を紗に含浸させてから適当な方法で架橋不溶化する。
【００２６】
このような乳剤を用いた場合には、レーザー照射により線画６に対応する部分の樹脂を除去する加工を行う。即ち、レーザー光を照射して樹脂系乳剤を加熱し燃焼あるいは昇華させることによりインクが通過可能な孔部２を形成してパターン４を形成する。レーザーは、公知のものを用いることができ、好ましいものとしてはＣＯ２レーザー、ＹＡＧレーザー、各種エキシマレーザーが挙げられる。
【００２７】
次に、本発明の実施形態に係る手芸用転写シート１の使用方法について、説明する。
【００２８】
まず、図２（Ａ），（Ｂ）に示すように、模様を施したい対象物５、本実施の形態においては眼鏡ケースの表面の所望の位置に、手芸用転写シート１を密着させて載置する。なお、本実施の形態においては、対象物５は眼鏡ケースとしたが、自身の家具や身の回り品、雑貨などの日用品が対象物５となりうる。また、対象物５の材質は、木、ブリキ、ガラス、陶器、布、皮革、人造皮革など、家具や身の回り品、雑貨に通常使用されている素材であれば、特に限定されることはなく、何でも適用することができる。
【００２９】
手芸用転写シート１を対象物５に密着させて載置した後、メッシュ部３の上からインクを筆や指等でのばすようにすると、インクが乳剤で塞がれていない孔部２のみを通過して、対象物５にパターン４に対応した線画６が転写される。この線画６は、模様を描くときの下絵として使用することもできるし、そのまま模様を構成するものとして使用することもできる。
【００３０】
手芸用転写シート１は、使用した後に水で洗浄して、何度でも使用することができる。
【００３１】
なお、対象物５にパターン４に対応した線画６を転写するために用いるインクとしては、脂肪酸石鹸を主体としてグリセリンおよびロート油を混和した展色剤に耐アルカリ性の顔料を混錬したものや、ステアリン酸にアミンを加えて得られるクリーム状物にロート油やグリセリンあるいは両者を加えさらに必要に応じてカストル油および界面活性剤を配合して混錬した展色剤に顔料を加えたもの、ワックスを主体とし非イオン活性剤を配合してなる展色剤に顔料を加えたもの等を用いることができる。これらのインクは、必要に応じて水で洗い流すことができる。
【００３２】
また、転写した線画６を模様として使用する場合など、インクを対象物５に定着させたい場合は、上記インクに適宜定着剤を混入するとよい。定着剤としては、ガゼインテンペラや合成樹脂のエマルションなど、乾燥後に耐水性を有する展色剤を用いることができる。合成樹脂のエマルションとしては、アクリル樹脂、酢酸ビニル樹脂、アクリル−スチレン樹脂、酢酸ビニル−アクリル樹脂、エチレン−酢酸ビニル樹脂、酢酸ビニル−バーサティック酸ビニルエステル樹脂、エチレン−塩化ビニル樹脂、アクリル−ベオバ樹脂、塩化ビニル樹脂、塩化ビニル−塩化ビニリデン樹脂、スチレン樹脂などが挙げられる。
【００３３】
転写した線画６を模様の下絵として使用する場合は、市販されているアクリル絵具など一般的にトールペイントに使用されるような絵具を用いて、転写された線画６をなぞったり彩色を施すことにより模様を描き、絵具を乾燥させた後に、下絵を水で洗うことにより消去するとよい。
【００３４】
転写した線画６を模様を構成するものとして用いたい場合は、インクに定着剤を調合して混錬したものを用いて手芸用転写シート１のパターン４の転写を行い、転写後にインクを乾燥させれば、水などで容易に消去されないため、そのまま模様として用いることができる。転写して定着させた線画６に、アクリル絵具などを用いて色彩を施し、色彩つきの模様としてもよい。
【００３５】
また、線画６が上手く転写できなかった場合など、転写をやり直したいときは、定着剤を混入していいない場合は、インクが乾燥する前でも乾燥した後でも、水で洗い流すことができる。定着剤を混入した場合は、インクが乾燥する前であれば、水で洗い流すことができる。
【００３６】
以上のように、本実施の形態に係る手芸用転写シート１は、対象物５に載置してメッシュ部３の上からインクを筆や指等でのばすようにするのみでパターン４を転写することができるため、手間がかからない。また、手芸用転写シート１は、多数の微細な孔部２のうち、転写したい線画６に対応した部分の孔部２はインクが通過可能とされており、他の孔部２はインクが通過できないように塞いででおくことで、線画６に対応するパターン４が形成されているため、レース模様といった微細な模様のパターン４を対象物５に線画６として高精細に転写することができる。また、転写した線画６は、高精細であるため、下絵として使用するだけでなく、希望する場合は、そのまま模様を構成させることができる。
【符号の説明】
【００３７】
１：手芸用転写シート
２：孔部
３：メッシュ部
４：パターン
５：対象物
６：線画 
【図１】
2015189096.tif 000003
【図２】
2015189096.tif 000004